(57)【要約】      （修正有）【課題】保存中および使用時の安定性が優れた強化液簡易消火器を提供する。【解決手段】容器と、前記容器に取り付けられたスプレー装置と、前記容器内に配置されたパウチとを有する強化液簡易消火器において、前記パウチを構成する多層フィルムが、その最内層から最外層まで、ポリオレフィン層４、アルミニウム層５、ナイロン層６、ポリエチレンテレフタレート層７の順で積層されているか、またはポリオレフィン層４、ナイロン層６、アルミニウム層５、ポリエチレンテレフタレート層７の順で積層されている、強化液簡易消火器。【選択図】図２
0003191119.tif 000002
【実用新案登録請求の範囲】
【請求項１】
容器と、
前記容器に取り付けられたスプレー装置と、
前記容器内に配置されたパウチとを有する強化液簡易消火器において、
前記パウチを構成する多層フィルムが、その最内層から最外層まで、ポリオレフィン層、アルミニウム層、ナイロン層、ポリエチレンテレフタレート層の順で積層されているか、またはポリオレフィン層、ナイロン層、アルミニウム層、ポリエチレンテレフタレート層の順で積層されている、強化液簡易消火器。
【請求項２】
前記ポリオレフィン層は、リニアポリエチレン層またはリニアポリプロピレン層である、請求項１に記載の強化液簡易消火器。
【請求項３】
前記パウチは、前面部、背面部および底面部を有し、前記前面部、前記背面部および前記底面部はそれぞれの端部で互いに接着されており、前記前面部の前記底面部に対向する端部と前記背面部の前記底面部に対向する端部との間に開口部が形成されている、請求項１または請求項２に記載の強化液簡易消火器。
【請求項４】
前記前面部、前記背面部および前記底面部のそれぞれの端部は、ポリオレフィン層により互いに接着されている、請求項３に記載の強化液簡易消火器。
【考案の詳細な説明】
【技術分野】
【０００１】
本考案は、強化液簡易消火器に関する。
【背景技術】
【０００２】
従来の簡易消火器としては、エアゾール式消火器が提案されている。
特許文献１には、容器、容器に取り付けられているバルブアセンブリ、バルブアセンブリと流体連絡状態で接続されており、細長い排出オリフィスを有する作動装置、容器内に配置されている液体湿潤薬品消火剤、および容器内に配置されている噴霧剤を含むエアゾール式消火器が開示されている。
【０００３】
しかし、このような簡易消火器は、厳しい環境での保存安定性および使用安定性で問題になる恐れがある。
【先行技術文献】
【特許文献】
【０００４】
【特許文献１】特表２０１０−５０２４０９号公報
【考案の概要】
【考案が解決しようとする課題】
【０００５】
本考案は、上記の事情に鑑みてなされたものであり、保存中および使用時の安定性が優れた強化液簡易消火器を提供することを目的とする。
【課題を解決するための手段】
【０００６】
本考案は、容器と、前記容器に取り付けられたスプレー装置と、前記容器内に配置されたパウチとを有する強化液簡易消火器において、前記パウチを構成する多層フィルムが、その最内層から最外層まで、ポリオレフィン層、アルミニウム層、ナイロン層、ポリエチレンテレフタレート層の順で積層されているか、またはポリオレフィン層、ナイロン層、アルミニウム層、ポリエチレンテレフタレート層の順で積層されている、強化液簡易消火器である。
【０００７】
前記ポリオレフィン層は、リニアポリエチレン層またはリニアポリプロピレン層であることが好ましい。
【０００８】
前記パウチは、前面部、背面部および底面部を有し、前記前面部、前記背面部および前記底面部はそれぞれの端部で互いに接着されており、前記前面部の前記底面部に対向する端部と前記背面部の前記底面部に対向する端部との間に開口部が形成されていることが好ましい。
【０００９】
前記前面部、前記背面部および前記底面部のそれぞれの端部は、ポリオレフィン層により互いに接着されていることが好ましい。
【考案の効果】
【００１０】
本考案によれば、保存中および使用時の安定性が優れた強化液簡易消火器を提供することができる。
【図面の簡単な説明】
【００１１】
【図１】本実施の形態に係る強化液簡易消火器の全体構造を説明するための概念図である。
【図２】本実施の形態に係る強化液簡易消火器のパウチを構成する膜を説明するための概念図である。
【図３】本実施の形態に係る強化液簡易消火器のパウチを説明するための展開図である。
【図４】本実施の形態に係る強化液簡易消火器のパウチを説明するための断面図である。
【図５】本実施の形態に係る強化液簡易消火器のパウチの変形例を説明するための展開図である。
【図６】本実施の形態に係る強化液簡易消火器のパウチの変形例を説明するための断面図である。
【考案を実施するための形態】
【００１２】
以下、図面を参照して、本考案に係る強化液簡易消火器の一例について説明する。なお、本考案の図面において、同一の参照符号は、同一部分または相当部分を表わすものである。また、長さ、幅、厚さ、深さなどの寸法関係は図面の明瞭化と簡略化のために適宜変更されており、実際の寸法関係を表わすものではない。
【００１３】
図１は、本実施の形態に係る強化液簡易消火器の全体構造を説明するための概念図である。図１に示すように、本実施の形態に係る強化液簡易消火器は、容器１と、容器１に取り付けられたスプレー装置２と、容器１内に配置されたパウチ３とを備える。この強化液簡易消火器のパウチ３に強化液薬剤を充填し、容器１とパウチ３との間の空間に圧縮気体を充填することによって、強化液薬剤の噴霧が可能となる。
【００１４】
容器１は、底部、筒状の胴部、テーパー状の肩部およびその上に口部を備えた金属製の耐圧容器である。容器１は、金属スラブをインパクト成形により筒状体とし、絞り成形により胴部、肩部を形成した一体成型体を用いてもよく、底部、胴部および肩部を別々に成形して連結するスリーピース缶を用いてもよい。また、合成樹脂やガラスから一体に成形してもよい。
【００１５】
スプレー装置２は、容器１の外部に配置された押圧ボタンと、容器１の内部に配置された吸引管と、強化液薬剤を噴霧口から噴霧可能な噴霧機構とからなる。スプレー装置２は、押圧ボタンの押圧によって内蔵する弁を開き、噴霧機構により強化液薬剤を吸引可能に配置された吸引管から供給された強化液薬剤を噴霧する。
【００１６】
パウチ３は、可撓性の収納部と、その開口部に取り付けられる連結部材とからなる。図２は、本実施の形態に係る強化液簡易消火器のパウチを構成する膜を説明するための概念図である。図２に示すように、パウチ３の収納部を構成する膜は、多層フィルムであり、該多層フィルムは、最内層から最外層まで、ポリオレフィン層４、アルミニウム層５、ナイロン層６、ポリエチレンテレフタレート層７の順で積層されているか、または、ポリオレフィン層４、ナイロン層６、アルミニウム層５、ポリエチレンテレフタレート層７の順で積層されている。これにより、厳しい環境での保存安定性および使用安定性を確保することができる。
【００１７】
具体的には、ポリオレフィン層４は、パウチを接合する目的で使われ、アルミニウム層５は、強化液薬剤を化学的に安定化させるとともに紫外線を遮断する目的で使われ、ナイロン層６は、パウチに柔軟性を付与する目的で使われ、ポリエチレンテレフタレート層７は、パウチの外部汚染および漏水を防止する目的で使われる。
【００１８】
ポリオレフィン層４は、接合性を向上させる点から、リニアポリエチレン層またはリニアポリプロピレン層を用いることが好ましい。
【００１９】
図３は、本実施の形態に係る強化液簡易消火器のパウチを説明するための展開図である。図３に示すように、パウチ３は、前面部９、背面部１１および底面部１０を、折曲げ線１３に沿って折り曲げた後、斜線で示すそれぞれの端部の接合部１２で互いに接合することにより製造される。
【００２０】
図４は、前記図３の展開図に示すものを折曲げ接合部１２で接着して成形したパウチを説明するための断面図である。図４に示すように、製造されたパウチ３は、前面部９、背面部１１および底面部１０を有し、前面部９、背面部１１および底面部１０は、それぞれの接合部１２で互いに接着されており、前面部９の底面部１０に対向する端部と背面部１１の底面部１０に対向する端部との間に開口部８が形成されている。
【００２１】
また、前面部９、背面部１１および底面部１０のそれぞれの端部は、ポリオレフィン層により互いに熱融着されている。
【００２２】
図５は、本実施の形態に係る強化液簡易消火器のパウチの変形例を説明するための展開図である。図５に示すように、パウチ３は、前面部９、背面部１１および底面部１０を、折曲げ線１３に沿って折り曲げた後、斜線で示す接合部１２で互いに接合することにより製造される。
【００２３】
図６は、前記図５に示すものを成形したパウチの変形例を説明するための断面図である。図６に示すように、製造されたパウチ３は、前面部９、背面部１１および底面部１０を有し、前面部９、背面部１１および底面部１０は、それぞれの接合部１２で互いに接着されており、前面部９の底面部１０に対向する端部と背面部１１の底面部１０に対向する端部との間に開口部８が形成されている。
【００２４】
また、前面部９、背面部１１および底面部１０のそれぞれの端部は、ポリオレフィン層により互いに接着されている。
【００２５】
今回開示された実施形態はすべての点で例示であって制限的なものではないと考えられるべきである。本考案の範囲は上記した説明ではなくて実用新案登録請求の範囲によって示され、実用新案登録請求の範囲と均等などの意味および範囲内でのすべての変更が含まれることが意図される。
【産業上の利用可能性】
【００２６】
本考案は、強化液消火用具に有利に適用される。
【符号の説明】
【００２７】
１  容器、２  スプレー装置、３  パウチ、４  ポリオレフィン層、５  アルミニウム層、６  ナイロン層、７  ポリエチレンテレフタレート層、８  開口部、９  前面部、１０  底面部、１１  背面部、１２  接合部、１３  折曲げ部。
【図１】
0003191119.tif 000003
【図２】
0003191119.tif 000004
【図３】
0003191119.tif 000005
【図４】
0003191119.tif 000006
【図５】
0003191119.tif 000007
【図６】
0003191119.tif 000008